(57)【特許請求の範囲】
【請求項１】
薬剤を間欠的に噴霧させる際に周囲の明るさ情報を参照する噴霧装置において、
前記薬剤の単位時間当たりの噴霧量を利用形態に応じて設定する設定手段と、
前記明るさ情報に基づいて前記設定手段で設定された設定値を所定倍率で変更する変更手段と、
前記設定値に基づいて前記薬剤を噴霧する噴霧手段と、
を備えたことを特徴とする噴霧装置。
【請求項２】
前記変更手段は、前記明るさ情報から周囲が暗いと検知した際に前記薬剤の単位時間当たりの噴霧量が少なくなるように前記設定値を前記所定倍率で変更することを特徴とした請求項１記載の噴霧装置。
【請求項３】
前記薬剤を間欠噴霧させる際の間欠時間を前記設定値とするとともに、前記噴霧手段は、前記設定値ごとに前記薬剤を間欠噴霧することを特徴とした請求項１又は２記載の噴霧装置。
【請求項４】
前記明るさ情報より周囲が暗い状態から明るい状態に変化したと検知した際に前記薬剤を噴霧する変化時噴霧手段をさらに備えたことを特徴とする請求項１、２又は３記載の噴霧装置。
【発明の詳細な説明】
【技術分野】
【０００１】
本発明は、スプレー缶から薬剤を噴霧させる噴霧装置に関する。
【背景技術】
【０００２】
従来、本体にセットされたスプレー缶から自動的に薬剤を噴霧させる噴霧装置が知られている（例えば、特許文献１）。
【０００３】
この噴霧装置は、セットされたスプレー缶のノズルを所定時間毎に操作することで、当該スプレー缶の薬剤を定期的に噴霧できるように構成されている。
【０００４】
このような噴霧装置においては、室内の光レベルによって、その噴霧形態を変更するものも知られている（例えば、特許文献２及び３）。
【０００５】
具体的に説明すると、光レベルを利用することで、夜間は噴霧を停止する又は昼間は噴霧を停止するものや、室内が暗くなる不在時には噴霧間隔をデフォルト値とするものが知られている。
【０００６】
【特許文献１】特開２００９−２６２０１４号公報
【特許文献２】登録実用新案第３０４５９０１号公報
【特許文献３】特開２００４−５３０４６６号公報
【発明の概要】
【発明が解決しようとする課題】
【０００７】
しかしながら、このような従来の噴霧装置にあっては、夜間等に噴霧量を制限することはできるが、この制限状態において、部屋の広さなど利用形態に応じた噴霧状態を形成することはできなかった。
【０００８】
本発明は、このような従来の課題に鑑みてなされたものであり、制限状態であっても利用形態に応じた噴霧を行うことができる噴霧装置を提供することを目的とするものである。
【課題を解決するための手段】
【０００９】
前記課題を解決するために本発明の請求項１の噴霧装置にあっては、薬剤を間欠的に噴霧させる際に周囲の明るさ情報を参照する噴霧装置において、前記薬剤の単位時間当たりの噴霧量を利用形態に応じて設定する設定手段と、前記明るさ情報に基づいて前記設定手段で設定された設定値を所定倍率で変更する変更手段と、前記設定値に基づいて前記薬剤を噴霧する噴霧手段と、を備えている。
【００１０】
すなわち、利用形態に応じて薬剤の単位時間当たりの噴霧量を設定することで、この設定値に基づいて前記薬剤が噴霧される。
【００１１】
具体的に薬剤が消臭剤や芳香剤で構成された場合を例に挙げて説明すると、薬剤の拡散範囲が広いリビングや比較的悪臭が発生し易いトイレやキッチン等で使用する際には、前記薬剤の単位時間当たりの噴霧量が多くなるように設定することで、この設定値に基づいて薬剤が噴霧される。これにより、広い部屋や比較的悪臭の発生し易い場所であっても、薬剤による消臭効果や芳香効果を維持することができる。
【００１２】
また、狭い部屋や悪臭等が発生し難い場所で使用する際には、前記薬剤の単位時間当たりの噴霧量が少なくなるように設定することで、この設定値に基づいて薬剤が噴霧される。これにより、狭い場所や比較的悪臭の発生し難い場所においては、薬剤の消費量を抑えることができる。
【００１３】
ここで、薬剤の単位時間当たりの噴霧量を変更する方法としては、例えば所定時間毎に噴霧される一回の噴霧量を変化させる方法や、間欠噴霧する際の間欠時間を変化させる方法や、一回の噴霧量及び間欠時間の両者を変更する方法が挙げられる。
【００１４】
また、前記薬剤は、消臭剤や芳香剤に限定されるものでは無い。例えば防虫剤等であっても良く、この場合、室内で使用する場合や屋外で使用する場合など利用形態に応じて前記設定値を設定することができる。
【００１５】
一方、設定された前記設定値は、明るさ情報に基づいて所定倍率で変更される。
【００１６】
このため、例えば周囲の明るさが暗くなった際に前記薬剤の単位時間当たりの噴霧量を前記所定倍率に従って少なくすることができる。これにより、周囲が暗くなる消灯時や外出時において、薬剤の噴霧量を抑えた制限状態を形成することができる。
【００１７】
このとき、単位時間当たりの噴霧量を示す前記設定値は、前述したように部屋の広さ等の利用形態に応じて設定されており、この設定値が所定倍率で変更されることで、噴霧量の制限が行われる。
【００１８】
このため、前記制限状態において、薬剤の噴霧量を抑えつつ、部屋の広さ等の利用形態に適した芳香消臭状態が維持される。
【００１９】
なお、芳香剤や香料を利用してアロマセラピーを行う際には、周囲の明るさが暗くなった際に前記薬剤の単位時間当たりの噴霧量が前記所定倍率に従って多くなるように設定することが有効である。
【００２０】
また、請求項２の噴霧装置においては、前記変更手段は、前記明るさ情報から周囲が暗いと検知した際に前記薬剤の単位時間当たりの噴霧量が少なくなるように前記設定値を前記所定倍率で変更する。
【００２１】
このため、周囲の明るさが暗くなった際に前記薬剤の単位時間当たりの噴霧量を前記所定倍率に従って少なくすることができる。
【００２２】
これにより、部屋やリビングで使用する際には、消灯時や外出時での薬剤の噴霧量を抑えることができる。また、トイレや玄関で使用する際には、人がいない状態での噴霧量を抑えることができる。
【００２３】
さらに、請求項３の噴霧装置では、前記薬剤を間欠噴霧させる際の間欠時間を前記設定値とするとともに、前記噴霧手段は、前記設定値ごとに前記薬剤を間欠噴霧する。
【００２４】
すなわち、前記設定値は、前記薬剤を間欠噴霧させる際の間欠時間を示し、この設定値ごとに前記薬剤が間欠噴霧される。
【００２５】
このため、所定時間毎に噴霧される一回の噴霧量を増減して単位時間当たりの噴霧量を変更する場合と比較して、噴霧前後における周囲の薬剤濃度が平均化される。
【００２６】
加えて、請求項４の噴霧装置にあっては、前記明るさ情報より周囲が暗い状態から明るい状態に変化したと検知した際に前記薬剤を噴霧する変化時噴霧手段をさらに備えている。
【００２７】
すなわち、周囲が明るくなった際に薬剤を強制的に噴霧することができる。
【００２８】
このため、例えばトイレや玄関で使用する際には、トイレを使用する際又は帰宅した際に照明を付けたタイミングで芳香剤等が噴霧される。
【発明の効果】
【００２９】
以上説明したように本発明の請求項１の噴霧装置にあっては、単位時間当たりの噴霧量が抑えられた制限状態においても、部屋の広さや使用場所等の利用形態に応じて設定された設定状態を維持しつつ、薬剤の噴霧量を抑えることができる。
【００３０】
このため、夜間等の噴霧制限時に、噴霧を停止したり、噴霧間隔をデフォルト値としてしまう従来と比較して、部屋の広さなど利用形態に応じた噴霧状態を確保することができる。
【００３１】
これにより、部屋の広さ等の利用形態に適した薬剤効果を、噴霧制限時でも維持することができる。
【００３２】
また、請求項２の噴霧装置においては、周囲の明るさが暗くなった際に薬剤の単位時間当たりの噴霧量を所定倍率に従って少なくすることができる。
【００３３】
これにより、部屋やリビングで使用する際には、消灯時や外出時での薬剤の噴霧量を抑えることができる。また、トイレや玄関で使用する際には、人がいない状態での噴霧量を抑えることができ、利用可能時間を延ばすことができる。
【００３４】
さらに、請求項３の噴霧装置では、薬剤を間欠噴霧させる際の間欠時間を設定値とすることで、この設定値ごとに薬剤を間欠噴霧することができる。
【００３５】
このため、所定時間毎に噴霧される一回の噴霧量を増減して単位時間当たりの噴霧量を変更する場合と比較して、噴霧前後における周囲の薬剤濃度を平均化することができ、薬剤効果の均等化を図ることができる。
【００３６】
加えて、請求項４の噴霧装置にあっては、周囲が明るくなった際に強制的に薬剤を噴霧することができる。
【００３７】
このため、例えばトイレや玄関で使用する際には、トイレを使用する際又は帰宅した際に芳香剤等を噴霧することができ、薬剤による効果を必要なタイミングで発揮することができる。
【図面の簡単な説明】
【００３８】
【図１】本発明の一実施の形態を示す斜視図である。
【図２】同実施の形態の内部を示す説明図である。
【図３】同実施の形態の制御部を示す回路図である。
【図４】同実施の形態の動作を示すフローチャートである。
【図５】図４に続くフローチャートである。
【図６】図５に続くフローチャートである。
【発明を実施するための形態】
【００３９】
以下、本発明の一の実施の形態を図に従って説明する。
【００４０】
図１は、本実施の形態にかかる噴霧装置１を示す図であり、該噴霧装置１は、図２にも示すように、スプレー缶２（エアゾール）に収容された薬剤を自動的に間欠噴霧する装置である。
【００４１】
ここで、前記スプレー缶２中には、薬剤の他に噴射剤として窒素等の圧縮ガスやＬＰＧのような液化ガスが配合されており、この噴射剤によって前記薬剤を噴霧できるように構成されている。また、このスプレー缶２に収容された薬剤としては、芳香剤や消臭剤や防虫剤や殺虫剤などが挙げられ、本実施の形態では、芳香消臭剤が充填されたスプレー缶２を使用する場合を例に挙げて説明する。
【００４２】
この噴霧装置１の装置本体を形成するケース１１は、図１及び図２に示すように、縦長の長方形状に形成されており、上方の両角部が丸められている。このケース１１は、前面を構成する前ケース１２と、後面を構成する後ケース１３とによって形成されており、両ケース１２，１３で構成された天部１４には、噴霧用開口部１５が開設されている。
【００４３】
前記前ケース１２の中央下部には、押ボタン式のターボボタン２１が設けられており、該ターボボタン２１の上部には、テーパ状の凹部２２が形成されている。該凹部２２の底部は開口されており、この開口部内には、照度センサ２３が設けられ、当該ケース１１の周囲部の明るさを感知できるように構成されている。
【００４４】
前記後ケース１３の下部は、切欠されており、この切欠部は、蓋体によって開閉可能に閉鎖できるように構成されている（図示省略）。また、この切欠部からは、図２に示したように、前記スプレー缶２や乾電池３１，３１を交換できるように構成されている。
【００４５】
この乾電池３１，３１が収容される電池収容部４１の上部には、スライド式のスプレーサイクルスイッチ４２が設けられており、該スプレーサイクルスイッチ４２は、その操作部を「３０分」位置４３と、「４５分」位置４４と、「６０分」位置４５とにスライドできるように構成されている。これにより、通常時での薬剤噴霧の間欠時間を「３０分」、「４５分」又は「６０分」に設定できるように構成されている。
【００４６】
前記電池収容部４１の裏側には、図外の制御基板が設けられており、該制御基板には、前記電池収容部４１の乾電池３１，３１からの電源が供給されて作動する電子回路が構成されている。この制御基板には、缶スイッチ５１が設けられており、該缶スイッチ５１は、そのボタン部５２が側方へ突出するように構成されている。
【００４７】
また、前記制御基板には、床スイッチ６１が設けられており、そのボタン部６２が当該ケース１１の底面６３より下方へ突出するように構成されている。これにより、当該噴霧装置１が載置面に載置された状態で、前記床スイッチ６１のボタン部６２が載置面に接して後退するように構成されており、当該床スイッチ６１がオン作動するように構成されている。
【００４８】
前記電池収容部４１の上部には、駆動機構７１が設けられており、該駆動機構７１は、モータ７２で駆動されるように構成されている。この駆動機構７１の上部からは、図２中右方へ向けて突出したノズル操作部７３が延出しており、該ノズル操作部７３は、支点７４を中心として、その自由端部が上下駆動されるように構成されている。
【００４９】
前記電池収容部４１の図２中右方には、スプレー缶収容部８１が形成されており、前記缶スイッチ５１のボタン部５２が当該スプレー缶収容部８１内に突出するように構成されている。このスプレー缶収容部８１には、前記スプレー缶２が交換可能に収容されるように構成されており、スプレー缶２が収容された状態で、当該スプレー缶２が前記缶スイッチ５１のボタン部５２を後退させオン作動できるように構成されている。
【００５０】
このスプレー缶２は、前記薬剤を収容した缶本体９１と、該缶本体９１より延出した円筒状のノズル９２とによって構成されており、該ノズル９２の先端部には、噴霧アダプタ９３が設けられている。該噴霧アダプタ９３の上部には、側方へ延出する円板状の鍔部９４が一体形成されており、当該噴霧アダプタ９３を前記ノズル操作部７３にセットした状態で、前記鍔部９４より先端側が前記ノズル操作部７３を貫通するとともに、前記鍔部９４が前記ノズル操作部７３と係合するように構成されている。
【００５１】
このスプレー缶２は、上方へ向けて延出したノズル部９２が後退方向へ押し下げられた際に、内部の薬剤を噴霧するように構成されており、当該スプレー缶２は、前記スプレー缶収容部８１にセットした状態で、前記噴霧アダプタ９３が前記ノズル操作部７３と係合するとともに、ノズル先端が前記噴霧用開口部１５の下部に位置するように構成されている。
【００５２】
これにより、前記モータ７２によって前記駆動機構７１が動作し前記ノズル操作部７３が前記スプレー缶２の前記ノズル９２を押し下げた際には、当該ノズル９２より噴霧された薬剤を前記噴霧用開口部１５を介して外部へ噴霧できるように構成されている。
【００５３】
前記スプレー缶２は、薬剤の噴霧を制御するバルブが定量バルブで構成されており、該定量バルブは、前記ノズル９２の一回の押圧操作によって一定量の薬剤を噴霧するように構成されている。
【００５４】
これにより、使用する乾電池３１，３１の出力電圧が低下して前記モータ７２の回転速度が低下した場合であっても、該モータ７２の回転速度と無関係に一定量の薬剤を噴霧することができるように構成されている。
【００５５】
なお、本実施の形態では、前記定量バルブを内蔵したスプレー缶２を使用した場合に付いて説明するが、これに限定されるものではなく、ノズル９２を押圧している間は薬剤を噴霧する通常のバルブを有したスプレー缶２を使用しても良い。
【００５６】
図３は、前記制御基板に構成された電子回路１０１を示す図であり、当該電子回路１０１は、ＲＯＭ及びＲＡＭを内蔵したマイコン（マイクロコンピュータ）１０２を中心に構成されている。
【００５７】
この電子回路１０１は、前記乾電池３１，３１からの電源を供給する為の電源回路１１１を備えており、該電源回路１１１は、整流ダイオード１１２、抵抗１１３，１１４、電解コンデンサ１１５、電源用ＩＣ１１６、及びコンデンサ１１７で構成されている。前記乾電池３１，３１の正極からは、モータ用電源ＶＭＴが直接供給されるように構成されており、前記整流ダイオード１１２のカソード側からはＩＣ用電源ＶＤＤが供給されるように構成されている。
【００５８】
前記整流ダイオード１１２のカソード側からの電源供給を受けた前記電源用ＩＣ１１６からは、照度センサ回路１２１に供給される基準電源２Ｖが供給されるように構成されている。
【００５９】
前記マイコン１０２のクロック端子１３１には、コンパレータ１３２、抵抗１３４〜１３７、コンデンサ１３８で構成された発振回路１３９からのクロック信号が入力されており、このクロック信号に従って動作するように構成されている。
【００６０】
前記マイコン１０２の電圧検知入力端子１４１には、電圧検知用ＩＣ１４２の出力が接続されており、該電圧検知用ＩＣ１４２は、前記電源回路１１１からＩＣ用電源ＶＤＤが２．３Ｖを超えているか否かを判断するとともに、その判断結果を前記マイコン１０２に出力するように構成されている。
【００６１】
また、前記マイコン１０２のターボスイッチ入力ポート１５１には、プルアップされた前記ターボスイッチ２１ａが接続されており、当該ターボスイッチ２１ａの操作状態を入力できるように構成されている。このターボスイッチ２１ａのボタン部は、前記ターボボタン２１に接続されており、当該ターボボタン２１と連動するように構成されている。これにより、該ターボボタン２１が押下操作されている間は、前記ターボスイッチ２１ａがオン作動する一方、前記ターボボタン２１の操作が解除された際には、前記ターボスイッチ２１ａがオフ作動するように構成されている。
【００６２】
前記マイコン１０２の缶スイッチ入力ポート１６１には、前記缶スイッチ５１が接続されており、当該缶スイッチ５１の作動状態を入力できるように構成されている。また、前記マイコン１０２の床スイッチ入力ポート１６２には、前記床スイッチ６１が接続されており、当該床スイッチ６１の作動状態を入力できるように構成されている。
【００６３】
さらに、前記マイコン１０２の入力ポート１７１，１７２には、前記スプレーサイクルスイッチ４２が接続されており、当該スプレーサイクルスイッチ４２による設定状態を入力できるように構成されている。
【００６４】
そして、前記マイコン１０２の明暗入力ポート１８１には、前記照度センサ回路１２１からの出力が入力されており、当該装置本体１の周囲の明るさを検知できるように構成されている。
【００６５】
この照度センサ回路１２１は、前記照度センサ２３を備えてなり、該照度センサ２３のカソード側には、前記基準電源２Ｖが供給されている。前記照度センサ２３のアノードは、抵抗１９１，１９２及びコンデンサ１９３を介してオペアンプ１９４の反転端子に入力されており、該オペアンプ１９４の非反転端子には、分圧抵抗１９５，１９６を介して前記基準電源２Ｖが入力されている。
【００６６】
このオペアンプ１９４の出力は、帰還抵抗２０１を介して前記非反転端子に接続されるとともに、前記マイコン１０２の前記明暗入力ポート１８１に接続されている。これにより、前記照度センサ２３に入力された光量が所定値を以下の場合には、前記オペアンプ１９４から前記マイコン１０２に入力される信号が”Ｈ”に維持される一方、前記照度センサ２３に入力された光量が所定値を超えた際に、前記オペアンプ１９４から前記マイコン１０２に入力される信号が”Ｈ”から”Ｌ”に変化するように構成されている。
【００６７】
前記マイコン１０２の緑色出力端子２１１には、制限抵抗２１２を介して緑色発光ダイオード２１３が接続されており、前記マイコン１０２の黄色出力端子２１４には、制限抵抗２１５を介して黄色発光ダイオード２１６が接続されている。両発光ダイオード２１３，２１６は一体化されており、前記ターボボタン２１のボタンの裏側に設けられている。
【００６８】
前記マイコン１０２は、モータ駆動回路２２２に制御信号を出力することで、前記第一及び第二モータ接続端子２４２，２４４にハーネスを介して接続された前記モータ７２を駆動できるように構成されている。
【００６９】
図３は、そのモータ駆動回路２２２の一例を示すもので、前記モータ７２を正逆転する場合には、以下のように構成する方法が挙げられる。
【００７０】
すなわち、前記マイコン１０２の第一モータ出力端子２２１は、モータ駆動回路２２２を構成する第一トランジスタ２２３のベースに接続されており、第二モータ出力端子２２４は、前記モータ駆動回路２２２を構成する第二トランジスタ２２５のベースに接続されている。
【００７１】
前記第一トランジスタ２２３のエミッタは、グランドラインに接続されており、抵抗２３１を介して前記モータ用電源ＶＭＴにプルアップされたコレクタは、第一ＦＥＴ２３２のゲートに接続されている。前記第二トランジスタ２２５のエミッタも、グランドラインに接続されており、抵抗２３３を介して前記モータ用電源ＶＭＴにプルアップされたコレクタは、第二ＦＥＴ２３４のゲートに接続されている。
【００７２】
前記第一ＦＥＴ２３２のドレインは、前記モータ用電源ＶＭＴに接続されており、当該第一ＦＥＴ２３２のソースは、第三ＦＥＴ２４１のドレインに接続されるとともに第一モータ接続端子２４２に接続されている。前記第二ＦＥＴ２３４のドレインは、前記モータ用電源ＶＭＴに接続されており、当該第二ＦＥＴ２３４のソースは、第四ＦＥＴ２４３のドレインに接続されるとともに第二モータ接続端子２４４に接続されている。
【００７３】
また、前記マイコン１０２の第三モータ出力端子２５１は、前記モータ駆動回路２２２を構成する前記第三ＦＥＴ２４１のゲートに接続されており、当該ゲートは抵抗２５２及びコンデンサ２５３を介してソースに接続されるとともにグランドラインに接続されている。前記マイコン１０２の第四モータ出力端子２５４は、前記モータ駆動回路２２２を構成する前記第四ＦＥＴ２４３のゲートに接続されており、当該ゲートは抵抗２５５及びコンデンサ２５６を介してソースに接続されるとともにグランドラインに接続されている。
【００７４】
前記第一及び第二モータ接続端子２４２，２４４間には、コンデンサ２６１が接続されており、両モータ接続端子２４２，２４４は、ハーネスを介して前記モータ７２に接続されている。
【００７５】
以上の構成にかかる本実施の形態の動作を、図４〜図６に示すフローチャートに従って説明する。
【００７６】
すなわち、当該噴霧装置１の電池収容部４１に乾電池３１，３１がセットされ、前記マイコン１０２が作動してＲＯＭに記憶されたプログラムに従って動作を開始すると、マイコン１０２は、ＲＡＭの内容等を初期設定するとともに、ＥＣＯモードをオン状態に設定した後（Ｓ１）、スプレー噴霧回数を初期値とする（Ｓ２）。
【００７７】
そして、缶スイッチ５１の状態を検出し（Ｓ３）、スプレー缶収容部８１にスプレー缶２がセットされておらず、前記缶スイッチ５１がＯＦＦの場合には、前記黄色発光ダイオード２１６を点滅することでオレンジ色の点滅を行って（Ｓ４）、前記ステップＳ３へ移行する。
【００７８】
前記スプレー缶収容部８１にスプレー缶２がセットされていて前記缶スイッチ５１がＯＮの場合には（Ｓ３）、前記床スイッチ６１の状態から当該噴霧装置１が載置面に載置されているか否かを判断し（Ｓ４１）、載置状態に無い場合には、前記黄色発光ダイオード２１６を点滅することでオレンジ色の点滅を行った後（Ｓ５）、前記ターボスイッチ２１ａがオン操作されているか否かを判断する（Ｓ６）。このとき、該ターボスイッチ２１ａが押されていない場合には、前記ステップＳ３へ分岐する一方、ターボスイッチ２１ａが押されていた場合には、当該ターボスイッチ２１ａが２秒以上押されているか否かを判断し（Ｓ７）、２秒以上押されていない場合には、ステップＳ１９へ分岐して強制噴霧処理を行う。
【００７９】
一方、前記ターボスイッチ２１ａが２秒以上押されていた場合には（Ｓ７）、ＥＣＯモードと通常モードとの切替操作であるため、現在の設定がＥＣＯモードの場合には、その設定を通常モードに切り替え、また現在の設定が通常モードの場合には、その設定をＥＣＯモードに切り替えるとともに前記緑色発光ダイオード２１３を所定時間点灯する（Ｓ８）。
【００８０】
そして、現在の設定がＥＣＯモードであるか否かを判断し（Ｓ９）、ＥＣＯモードで無い場合には、ステップＳ３へ移行する一方、ＥＣＯモードの場合には、照度センサ２３の初期データを取得して（Ｓ１０）、前記ステップＳ３へ移行する。
【００８１】
一方、前記ステップＳ４１において、載置状態であると判断した際には、前記スプレーサイクルスイッチ４２が操作されたか否かを入力変化の有無に基づいて判断し（Ｓ１１）、前記スプレーサイクルスイッチ４２が操作されていた場合には、当該スプレーサイクルスイッチ４２による設定に従ってＲＡＭに確保された設定値としての噴霧タイマ設定値を変更して（Ｓ１２）、前記ステップＳ３へ移行する。
【００８２】
具体的に説明すると、スライド式のスプレーサイクルスイッチ４２が「３０分」位置４３に設定されていた場合には、前記噴霧タイマ設定値を３０分とするとともに、前記スプレーサイクルスイッチ４２が「４５分」位置４４に設定されていた場合には、前記噴霧タイマ設定値を４５分に設定する。また、前記スプレーサイクルスイッチ４２が「６０分」位置４５に設定されていた場合には、前記噴霧タイマ設定値を６０分に設定する。
【００８３】
そして、前記スプレーサイクルスイッチ４２が操作されていない場合には（Ｓ１１）、現在の設定がＥＣＯモードか否かを判断し（Ｓ１３）、ＥＣＯモードで無い場合には、ＲＡＭに設定されたＬＥＤ点灯用カウンターよりＬＥＤの点灯タイミングか否かを判断し（Ｓ１４）、前回のＬＥＤ点灯から所定時間経過しておらずＬＥＤの点灯タイミングで無いと判断した際には、前記ＬＥＤ点灯用カウンターをインクリメントして（Ｓ１５）、前記ステップＳ６へ移行する。また、前回のＬＥＤ点灯から所定時間経過しておりＬＥＤの点灯タイミングであると判断した際には、前記緑色発光ダイオード２１３をグラディエーション点灯するとともに、前記ＬＥＤ点灯用カウンターを０リセットした後（Ｓ１６）、ＲＡＭに設定された噴霧タイミング用カウンターをインクリメントする（Ｓ１７）。
【００８４】
次に、この噴霧タイミング用カウンターから噴霧タイミングであるか否かを判断し（Ｓ１８）、噴霧タイミングで無い場合には、前記ステップＳ６へ分岐する一方、噴霧タイミングの場合には、前記床スイッチ６１の状態から当該噴霧装置１が載置面に載置されているか否かを判断し（Ｓ１９）、載置状態に無い場合には、前記ステップＳ３へ分岐する一方、載置状態である場合には、前記黄色発光ダイオード２１６を点滅することで噴霧警告を行った後、前記駆動機構７１の前記モータ７２を回転して前記ノズル操作部７３で前記スプレー缶２の前記ノズル９２を押し下げ、当該ノズル９２より薬剤を噴霧する（Ｓ２０）。
【００８５】
このとき、前記電圧検知入力端子１４１の状態から前記ＩＣ用電源ＶＤＤが２．３Ｖを超えているか否かを判断し（Ｓ２１）、前記ＩＣ用電源ＶＤＤが２．３Ｖ以下の場合には、その回数を示すＲＡＭの電圧降下カウンターをインクリメントするとともに、この２．３Ｖ以下の判断が１５回に達したか否かを判断し（Ｓ２２）、１５回に達していた場合には、電解コンデンサの放電を開始するとともに（Ｓ２３）、電池寿命と判断して動作を停止する（Ｓ２４）。
【００８６】
前記ＩＣ用電源ＶＤＤが２．３Ｖを超えているか（Ｓ２２）、又は２．３Ｖ以下の判断が１５回に達していない場合には（Ｓ２２）、ＥＣＯモードに設定されているか否かを判断し（Ｓ２５）、ＥＣＯモードで無い場合には、ステップＳ２７へ分岐する一方、ＥＣＯモードの場合には、前記明暗入力ポート１８１の状態から当該噴霧装置１の周囲が明るいか否かを判断する（Ｓ２６）。
【００８７】
当該噴霧装置１の周囲が明るいと判断した際に（Ｓ２６）、前記スプレーサイクルスイッチ４２に基づいて定められた噴霧タイマ設定値を噴霧タイミング用カウンターをセットしてＲＡＭに設定されたスプレー回数カウンターをインクリメントする一方（Ｓ２７）、当該噴霧装置１の周囲が暗いと判断した際には（Ｓ２６）、前記スプレーサイクルスイッチ４２に基づいて定められた噴霧タイマ設定値の二倍の値を前記噴霧タイミング用カウンターをセットして前記スプレー回数カウンターをインクリメントする（Ｓ２８）。
【００８８】
具体的に説明すると、当該噴霧装置１の周囲が明るいと判断した場合には、噴霧量を制限しない非制限モードとする。この場合において、スライド式のスプレーサイクルスイッチ４２が「３０分」位置４３に設定されていた場合には、噴霧間隔の間欠時間を示す前記噴霧タイミング用カウンターに噴霧タイマ設定値とされた３０分をセットし、次に噴霧が行われるまでの間欠時間を３０分とする。
【００８９】
また、前記スプレーサイクルスイッチ４２が「４５分」位置４４に設定されていた場合には、前記噴霧タイミング用カウンターに噴霧タイマ設定値とされた４５分をセットし、次に噴霧が行われるまでの間欠時間を４５分とする。
【００９０】
そして、前記スプレーサイクルスイッチ４２が「６０分」位置４５に設定されていた場合には、前記噴霧タイミング用カウンターに噴霧タイマ設定値とされた６０分をセットし、次に噴霧が行われるまでの間欠時間を６０分とする。
【００９１】
一方、当該噴霧装置１の周囲が暗いと判断した場合には、噴霧量を抑える制限モードに移行する。この場合において、スライド式のスプレーサイクルスイッチ４２が「３０分」位置４３に設定されていた場合には、噴霧間隔の間欠時間を示す前記噴霧タイミング用カウンターに、噴霧タイマ設定値とされた３０分の二倍である６０分をセットし、次に噴霧が行われるまでの間欠時間を６０分とする。
【００９２】
このとき、一回の噴霧量は、前記非制限モードと前記制限モードとで同量とする。これにより、当該噴霧装置１の周囲が明るく噴霧量を制限しない非制限モードの場合と比較して、単位時間当たりの薬剤の噴霧量を半分とすることができる。
【００９３】
また、前記スプレーサイクルスイッチ４２が「４５分」位置４４に設定されていた場合には、前記噴霧タイミング用カウンターに噴霧タイマ設定値とされた４５分の二倍である９０分をセットし、次に噴霧が行われるまでの間欠時間を９０分とする。これにより、当該噴霧装置１の周囲が明るく噴霧量を制限しない非制限モードの場合と比較して、単位時間当たりの薬剤の噴霧量を半分とすることができる。
【００９４】
そして、前記スプレーサイクルスイッチ４２が「６０分」位置４５に設定されていた場合には、前記噴霧タイミング用カウンターに噴霧タイマ設定値とされた６０分の二倍である１２０分をセットし、次に噴霧が行われるまでの間欠時間を１２０分とする。これにより、当該噴霧装置１の周囲が明るく噴霧量を制限しない非制限モードの場合と比較して、単位時間当たりの薬剤の噴霧量を半分とすることができる。
【００９５】
そして、前記スプレー回数カウンターよりスプレー回数が１４００回に達したか否かを判断し（Ｓ２９）、達していない場合には、前記ステップＳ３へ戻る一方、達していた場合には、前記黄色発光ダイオード２１６によるオレンジ発光と前記緑色発光ダイオード２１３による緑発光とを交互に繰り返すことでスプレー缶２の取り替え時期を示し（Ｓ３０）、前記缶スイッチ５１の状態からセットされているスプレー缶２の取り外しが確認できた際には（Ｓ３１）、前記ステップＳ４へ移行する。
【００９６】
また、前記ステップＳ１３において、ＥＣＯモードに設定されていると判断した際には（Ｓ１３）、前記明暗入力ポート１８１の状態から当該噴霧装置１の周囲の明るさに変化があったか否かを判断する（Ｓ３２）。明るさに変化があった場合には、前記緑色発光ダイオード２１３を三回点滅して（Ｓ３３）、暗い状態から明るい状態に変化したか否かを判断し（Ｓ３４）、暗くなったと判断した場合には、前記ステップＳ３へ分岐する一方、明るくなったと判断した際には、前記ステップＳ１９へ移行して、載置状態を確認した上で（Ｓ１９）、噴霧処理を行う（Ｓ２０）。
【００９７】
これにより、前記ＥＣＯモードにおいて、周囲が暗い状態から明るくなった際には、当該噴霧装置１が載置されていることを条件として、前記定量バルブによる一定量前記薬剤が強制的に噴霧される。
【００９８】
このため、当該噴霧装置１を例えばトイレで使用する際には、トイレを使用する際に照明を付けたタイミングで消臭芳香剤を噴霧することができる。また、当該噴霧装置１を例えば玄関で使用する際には、帰宅した際に照明を付けたタイミングで消臭芳香剤を噴霧することができる。これにより、消臭芳香剤による効果を、帰宅時やトイレ使用時などの必要なタイミングで得ることができる。
【００９９】
一方、前記ステップＳ３２にて明るさに変化が無いと判断した際には、前記ＬＥＤ点灯用カウンターよりＬＥＤ点灯タイミングに達したか否かを判断し（Ｓ３５）、前回のＬＥＤ点灯から所定時間経過しておらずＬＥＤの点灯タイミングで無いと判断した場合には、前記ステップＳ１５へ分岐する。また、前回のＬＥＤ点灯から所定時間経過しておりＬＥＤの点灯タイミングであると判断した際には、前記黄色発光ダイオード２１６と前記緑色発光ダイオード２１３によってオレンジ色から緑色に変化する二色のグラディエーション点灯をするとともに、前記ＬＥＤ点灯用カウンターを０リセットした後（Ｓ３６）、前記ステップＳ１７へ移行する。
【０１００】
以上説明したように、本実施の形態では、前記サイクルスイッチ４２を切り替えることによって噴霧される薬剤の単位時間当たりの噴霧量を利用形態に応じて設定することができ、この設定値に基づいて前記薬剤を噴霧することができる。
【０１０１】
具体的には、薬剤の拡散範囲が広いリビングや、比較的悪臭が発生し易いトイレやキッチン等で当該噴霧装置１を使用する際には、薬剤の単位時間当たりの噴霧量が多くなるように設定することで、この設定値に基づいて薬剤を噴霧することができる。これにより、広い部屋や比較的悪臭の発生し易い場所であっても、薬剤による消臭効果や芳香効果を十分に発揮することができる。
【０１０２】
また、狭い部屋や悪臭等が発生し難い場所で使用する際には、単位時間当たりの噴霧量が少なくなるように設定することで、この設定値に基づいて薬剤を噴霧できるため、狭い場所や比較的悪臭の発生し難い場所においては、薬剤の消費量を抑えることができる。
【０１０３】
ここで、薬剤の単位時間当たりの噴霧量を変更する方法としては、例えば所定時間毎に噴霧される一回の噴霧量を変化させる方法や、間欠噴霧する際の間欠時間を変化させる方法や、一回の噴霧量及び間欠時間の両者を変更する方法が挙げられる。
【０１０４】
そこで、本実施の形態では、間欠噴霧させる際の間欠時間を前記噴霧タイマ設定値とするとともに、この噴霧タイマ設定値ごとに薬剤を間欠噴霧するように構成することで、間欠噴霧する際の間欠時間を変化させる方法を採用した。
【０１０５】
このため、所定時間毎に噴霧される一回の噴霧量を増減して単位時間当たりの噴霧量を変更する場合と比較して、噴霧前後における周囲の薬剤濃度を平均化することができる。これにより、薬剤揮散量の経時的な変動を抑えることができ、薬剤効果の均等化を図ることができる。
【０１０６】
このとき、前記薬剤は、消臭剤や芳香剤に限定されるものでは無い。例えば防虫剤等であっても良く、この場合、室内で使用する場合や屋外で使用する場合など利用形態に応じて前記設定値を設定することができ、利便性の向上が図れる。
【０１０７】
そして、前記サイクルスイッチ４２の状態に基づいて設定された噴霧タイマ設定値、つまり噴霧タイミング用カウンターにセットされる間欠時間は、前記照明センサ２３で得られる明るさ情報に基づいて所定倍率、すなわち周囲が暗いときは周囲が明るいときの二倍に変更される。
【０１０８】
このため、前述したように周囲の明るさが暗くなった際には、単位時間当たりの噴霧量を１／２にすることができる。
【０１０９】
これにより、当該噴霧装置１を部屋やリビングで使用する際には、当該噴霧装置１の周囲が暗くなる消灯時や外出時において、薬剤の噴霧量を抑えた制限状態を形成することができ、消灯時や外出時での薬剤の噴霧量を抑えることができる。また、トイレや玄関で使用する際には、人がいない状態での噴霧量を抑えることができ、利用可能時間を延ばすことができる。
【０１１０】
このとき、単位時間当たりの噴霧量を決定する前記噴霧タイマ設定値は、前述したように部屋の広さ等の利用形態に応じて設定されており、この噴霧タイマ設定値が前述の倍率で変更されることで、噴霧量の制限が行われる。
【０１１１】
このため、前記制限状態において、薬剤の噴霧量を抑えつつ、部屋の広さや使用場所等の利用形態に適した消臭芳香状態が維持される。
【０１１２】
このように、単位時間当たりの噴霧量が抑えられた前記制限状態においても、部屋の広さや使用場所等の利用形態に応じて設定された設定状態を維持しつつ、薬剤の噴霧量を抑えることができる。
【０１１３】
このため、夜間等の噴霧制限時に、噴霧を停止したり、噴霧間隔をデフォルト値としてしまう従来と比較して、部屋の広さなど利用形態に応じた噴霧状態を確保することができる。
【０１１４】
これにより、部屋の広さや使用場所等の利用形態に適した薬剤効果を、噴霧制限時でも維持しつつ、当該効果を昼間と比較して抑えることができる。
【０１１５】
なお、芳香剤や香料を利用してアロマセラピーを行う際には、周囲の明るさが暗くなった際に薬剤の単位時間当たりの噴霧量が所定倍率に従って多くなるように設定することが有効である。
【符号の説明】
【０１１６】
１    噴霧装置
２１ａ  ターボスイッチ
２３    照度センサ
１０２    マイコン
【図１】
0005547619.tif 000002
【図２】
0005547619.tif 000003
【図３】
0005547619.tif 000004
【図４】
0005547619.tif 000005
【図５】
0005547619.tif 000006
【図６】
0005547619.tif 000007